(57)【要約】      （修正有）【課題】茎が現われたハンドルを有する花束を提供する。【解決手段】花束１０は、ワイヤを茎とする複数の造花１４と、ハンドル１６とを備える。ハンドルは、複数の造花のワイヤの束と、ワイヤの束の周りにこれらを覆うように配置されワイヤに沿って伸びる複数の模造の茎片３０と、結束線３２とを有する。複数の茎片は結束線によりこれらの周囲を部分的に取り巻く結束線により結束されている。【選択図】図１
0003219505.tif 000002
【実用新案登録請求の範囲】
【請求項１】
ワイヤを茎とする複数の造花と、ハンドルとを備え、
前記ハンドルは、複数の造花のワイヤの束と、該ワイヤの束の周りにこれらを覆うように配置された複数の模造の茎片と、複数の茎片の周囲を部分的に取り巻き前記茎片を結束する結束線とを有する、花束。
【請求項２】
各ワイヤはテーピングを施されている、請求項１に記載の花束。
【考案の詳細な説明】
【技術分野】
【０００１】
本考案は、造花の花束に関する。
【背景技術】
【０００２】
従来、ワイヤを茎とする複数の造花と、複数のワイヤを束ねるハンドルとを備える花束が提案されており、ハンドルは、スリットが設けられ複数のワイヤを受け入れる筒状体と、筒状体の上から複数のワイヤを巻いてこれらを覆い結束する結束線とで構成されている。これによれば、造花の茎を構成するワイヤを折り曲げあるいは湾曲させることにより複数の造花を構成する花被の集合の形態を調整し、また、茎をこれよりも細い線材であるワイヤとすることにより、花束を手にするときの持ち手とされる部分であるハンドルの太さの調整を図ることができる。
【０００３】
ところで、花束のハンドルは、ここに本来の茎が現われていれば造花の花束をより自然な形態に近づけることができる。
【先行技術文献】
【特許文献】
【０００４】
【特許文献１】実公平３−４２８５６号公報
【考案の概要】
【考案が解決しようとする課題】
【０００５】
本考案は、茎が現われたハンドルを有する花束を提供する。
【課題を解決するための手段】
【０００６】
本考案に係る花束は、ワイヤを茎とする複数の造花と、ハンドルとを備える。前記ハンドルは、複数の造花のワイヤの束と、該ワイヤの束の周りにこれらを覆うように配置された複数の模造の茎片と、複数の茎片の周囲を部分的に取り巻き前記茎片を結束する結束とを有する。
【０００７】
本考案によれば、ハンドルを構成するワイヤの束がその周囲に配置された複数の模造の茎片で覆われ、また、これらの茎片がその一部において結束線で取り巻かれ、結束されている。これにより、花束を手にするものや目に触れる者に対して、前記茎片の非結束部が前記造花の茎の一部であるとの印象を与えることができる。各ワイヤはテーピングを施されたものとすることができる。
【図面の簡単な説明】
【０００８】
【図１】本考案の実施の形態に係る花束の正面図である。
【図２】テーピングを施されたワイヤを茎とする造花の正面図である。
【図３】花被と茎とからなる市販の造花の正面図である。
【図４】形成途上にある花束の正面図である。
【考案を実施するための形態】
【０００９】
図１を参照すると、本考案の実施の形態に係る花束が全体に符号１０で示されている。図示の花束１０はラウンドブーケからなる。
【００１０】
花束１０は、ワイヤ１２（図２）を茎とする複数の造花１４と、ハンドル１６とを備える。ハンドル１６は花束１０の持ち手をなす。ハンドル１６については、後に詳述する。
【００１１】
ワイヤ１２は金属製の線材からなる。これに代えて、ワイヤ１２は例えばプラスチック製の線材からなるものとすることができる。
【００１２】
図示の複数の造花１４は花被１８を有するものと、葉２０を有するものとからなる。図示の例に代えて、複数の造花１４は花被１８を有するもののみからなるものとすることができる。図示の花被１８及び葉２０はそれぞれプラスチック材料で形成されている。
【００１３】
花被１８は、例えば、図３に示すように、市販の造花２２から花被１８に連なる茎２４の一部（始端部）２４ａを残して線ｌに沿って切除したものを使用することができる。これによれば、図２に示すように、茎２４の始端部２４ａをワイヤ１２の巻き付け代として、ワイヤ１２を花被１８に取り付けることができる。葉２０も、また、同様に、葉とこれに連なる茎とを有する市販の造花（図示せず）から、前記茎の一部（始端部）を残して切除したものを使用することができる。
【００１４】
図２に示すように、ワイヤ１２は、真っ直ぐな一本の形態からその伸長方向中央部の近傍において花被１８に連なる茎の始端部２４ａに巻き付けられ、２つ折りにされた形態にある。この形態におけるワイヤ１２は折り曲げ端部１２ａと２つの自由端部１２ｂとを有する。なお、ワイヤ１２の折り曲げ端部１２ａに連なるリング状部１２ｃは、茎の始端部２４ａへのワイヤ１２の巻き付け作業を容易にする補助部として形成されたものである。花被１８に取り付けられたワイヤ１２に関する前述した事情は、葉２０に取り付けられたワイヤ（図示せず）についても同様である。
【００１５】
ワイヤ１２は、必要に応じて、ワイヤ１２に巻き付けられ該ワイヤの周囲を取り巻く粘着テープ２６により、テーピングを施されたものとすることができる。また、複数の花被１８からそれぞれ伸びる複数のワイヤ１２及び複数の葉２０からそれぞれ伸びる複数のワイヤ１２は、例えばこれらに周囲から粘着テープを巻き付けることにより束ねられ、ワイヤの束２８（図４）とされている。
【００１６】
図４に示すように、ハンドル１６は、ワイヤの束２８と、複数の模造の茎片３０と、紐や、リボン、テープ等からなる結束線３２とを有する。模造の茎片３０は、例えば、切除された茎２４（図３）の一部を以てこれに充てることができる。
【００１７】
複数の茎片３０は、ワイヤの束２８の周りにこれらを覆うように配置され、ワイヤ１２に沿ってそれぞれ伸びている。茎片３０は、ワイヤ１２の折り曲げ端部１２ａの近傍に位置する一端（図示せず）及び該一端に相対する他端３０ａを有する。図示の例において、複数の茎片３０は、これらがワイヤの束２８をその周囲から覆うように、ワイヤ１２の長さ（ワイヤ１２の折り曲げ端部１２ａ及び自由端部１２ｂ間の距離）より大きい長さ（茎片３０の前記一端及び他端３０ａ間の距離）を有し、茎片３０の他端３０ａがワイヤ１２の自由端部１２ｂを超えて伸びるように設定されている。
【００１８】
また、結束線３２は、ワイヤの束２８と複数の茎片３０とを該複数の茎片の周りから締め付け、これらを結束している。結束線３２は、複数の茎片３０の周囲を部分的に取り巻いている。好ましくは、結束線３２は、ワイヤ１２の折り曲げ端部１２ａの近傍から茎片３０の他端３０ａに至る手前の位置までの一部分３０Ａにおいて、複数の茎片３０を取り巻いている。これによれば、複数の茎片３０は残りの一部分３０Ｂにおいて露出し、人の目に触れる。これにより、ハンドル１６が造花１４の一部である茎からなるものであるとの印象を与える。
【符号の説明】
【００１９】
１０  花束
１２  ワイヤ
１４  造花
１６  ハンドル
１８  花被
２０  葉
２２、２４  市販の造花及びその茎
２８  ワイヤの束
３０  茎片
３０Ａ  茎片の一部分
３０Ｂ  茎片の残りの一部分
３２  結束線
【図１】
0003219505.tif 000003
【図２】
0003219505.tif 000004
【図３】
0003219505.tif 000005
【図４】
0003219505.tif 000006